(57)【特許請求の範囲】
【請求項１】
外郭を形成する本体内に設けられ、洗濯物を収容し周壁に小孔を有する回転槽と、この回転槽の外周を覆うように設けられた水槽と、前記回転槽内の洗濯物を乾燥するため前記水槽内に加熱源により加熱された温風を循環供給するためのファン装置と前記水槽を介して連通する循環路と、前記加熱源として機能し前記循環路に介在された凝縮器や蒸発器、及び圧縮機等からなるヒートポンプ機構とを備え、
前記ファン装置は、前記本体内下部に配置され、ファンモータにより駆動される送風ファンと、これを内蔵したファンケーシングとから構成するとともに、該ファンケーシングは横方向に開口した吸込み口を有する縦型配置とし、そのファンケーシングの最下部にドレン口を設け、このドレン口からの排水を、前記蒸発器からの除湿水の排水手段と共用して機外に排出可能としたことを特徴とする洗濯乾燥機。
【請求項２】
ドレン口は、ファンの反回転方向に指向して開口していることを特徴とする請求項１記載の洗濯乾燥機。
【発明の詳細な説明】
【技術分野】
【０００１】
本発明は、温風を供給し洗濯物を乾燥する機能を備えた洗濯乾燥機に関する。
【背景技術】
【０００２】
従来、この種洗濯乾燥機としては、横軸周りに回転するドラムを備えたもの、或は縦軸周りに回転する洗濯兼脱水槽を備えたものがあり、いずれも周壁に多数の小孔を有する所謂回転槽を備え、洗濯運転及び乾燥運転を可能としている。しかるに乾燥運転では、回転槽を低速回転させながら乾燥用の温風を供給して内部に収容した洗濯物を乾燥するようにしている。その温風供給手段としては、加熱源により加熱された空気（温風）をファン装置により送り込むようにしており、その温風供給ダクトの一端は回転槽を内蔵した水槽に連通接続するとともに、その他端側に設けられた上記ファン装置は一般的に本体内の下方空間に設置された構成としている。
【０００３】
ところが、上記ファン装置が水槽より下方に設置されている場合には、洗濯時や脱水時の水飛沫が上記温風ダクトに飛び込むように浸入して、下方のファン装置のファンケーシング内に流入貯留するおそれがあり、或は多くの湿気成分が結露して同ダクト内を流下しファンケーシング内に貯留することも考えられる。この場合、貯留した水により送風ファンに対するファンケーシング本来の形状を損ねて所定の風量が得られなくなるとか、延いては送風ファンが貯留水と直接接触するに至り適正なファン性能が得られないことになる。そこで、その対策としてファンケーシングにドレン口を設け、浸入した水を排出可能とすることが考えられる（例えば、特許文献１参照）。
【特許文献１】特開２００２−３６０９９２号公報（図６参照）
【発明の開示】
【発明が解決しようとする課題】
【０００４】
しかしながら、上記特許文献１に記載された構成では、送風ファンを水平方向（横方向）に配置して下方から空気を吸込む吸込み側ケーシングと、これと相対する吹出し側ケーシングとを結合してなるファンケーシングの複合構成としている。更には、上記吸込み側ケーシングはドレン口に水を導く傾斜底壁とするなど排水のための加工を施した構成としている。そのため、本来のファン性能の低下を防ぐべく送風ファンの吸込み側に対向して吸込み口を有する仕切板を設けるなどして複雑な構成となり、且つ互換性のないファンケーシングとなるなど、実用性に欠ける問題点を有する。
【０００５】
本発明は、上記問題点を解決するために、ファンケーシングの構成の改変や複雑化を招くことなくドレン口を設けることができ、該ケーシング内に貯留することなく排水良好とする洗濯乾燥機を提供することを目的とする。
【課題を解決するための手段】
【０００６】
上記目的を達成するために、本発明の洗濯乾燥機は、外郭を形成する本体内に設けられ、洗濯物を収容し周壁に小孔を有する回転槽と、この回転槽の外周を覆うように設けられた水槽と、前記回転槽内の洗濯物を乾燥するため前記水槽内に加熱源により加熱された温風を循環供給するためのファン装置と前記水槽を介して連通する循環路と、前記加熱源として機能し前記循環路に介在された凝縮器や蒸発器、及び圧縮機等からなるヒートポンプ機構とを備え、前記ファン装置は、前記本体内下部に配置され、ファンモータにより駆動される送風ファンと、これを内蔵したファンケーシングとから構成するとともに、該ファンケーシングは横方向に開口した吸込み口を有する縦型配置とし、そのファンケーシングの最下部にドレン口を設け、このドレン口からの排水を、前記蒸発器からの除湿水の排水手段と共用して機外に排出可能としたことを特徴とするものである。
【発明の効果】
【０００７】
上記手段によれば、本来のファンケーシング形状に排水のための複雑な加工を施すことなく、最下部にドレン口を容易に設けることができるとともに、該ファンケーシング内に浸入した水を貯留することなく排出でき良好なファン性能を維持できる。しかも、ドレン口からの機外への排水手段を、蒸発器からの除湿水の排水手段を利用するようにしたので簡易な構成とすることができる洗濯乾燥機を提供できる。
【発明を実施するための最良の形態】
【０００８】
以下、本発明をドラム式の洗濯乾燥機に適用して示す一実施例につき、図１及び図２を参照して説明する。図１は、洗濯乾燥機全体の概略構成を示す縦断側面図、図２はファン装置の拡大断面図で、まず図１に示すように洗濯乾燥機の外殻を形成する本体１は、下部に設けられた台板１ａと、該台板１ａ上に結合された外箱１ｂとから構成され、この本体１内には、複数のサスペンション５により弾性支持された貯水可能な水槽２、及び該水槽２内に周壁に多数の小孔３ａやバッフル３ｂを有する回転槽としてのドラム３が傾斜した横軸回りに回転可能に設けられ、それらの側方たる右側を前面側とする開口は本体１前面の投入口１ｃと対向しており、この投入口１ｃは扉４により開閉される。
【０００９】
その水槽２の前面開口には、ベローズ７が装着され前記投入口１ｃとの間を水密に連結するとともに、他方水槽２の背面中央には、アウトロータ形のＤＣブラシレスモータからなるモータ６が装着され、その回転軸６ａがドラム３背面に直結されダイレクトに回転駆動される。また、水槽２の底部には機外に導出された排水管路８が接続され、その途中部位に排水弁９が設けられている。
そして、本実施例では後述するヒートポンプ機構及び循環路等からなる温風供給手段を備え、前記ドラム３内の洗濯物を乾燥する機能を有する。
【００１０】
まず、循環路１０の構成につき述べると、該循環路１０は水槽２に対して連続して給排気可能な経路を構成するもので、まず水槽２の背面側に給気ダクト１１が連通接続され、前面側に連通接続された排気ダクト１２を有する。そして、これら給，排気ダクト１１，１２の垂下した下端側において上記ヒートポンプ機構が介在された熱交換ダクト１３を通して連通接続され、以って水槽２を介して連続した通路が形成され、所謂循環路１０が構成される。更に具体的に述べると、上記熱交換ダクト１３は前記台板１ａ上に設置固定され、弾性支持された水槽２側に設けられた前記給，排気ダクト１１，１２とは蛇腹状で伸縮可能な継手１４，１５を介して連結されている。そして、この熱交換ダクト１３の後端部（図示左側）には詳細は後述するファン装置１６が設けられ、循環路１０及び水槽２内の空気を図示矢印Ａ方向に循環送風可能としている。
【００１１】
次いで、上記ヒートポンプ機構につき説明すると、これは本実施例では乾燥運転時に空気を加熱して温風化する加熱源として機能するもので、ヒートポンプ機構は周知のように冷媒が圧縮機１７により、凝縮器１８、図示しないキャピラリチューブ（絞り）、蒸発器１９の順に循環する冷凍サイクルからなる構成にあって、乾燥運転時では凝縮器１８にて循環空気を加熱して温風化し、前記ファン装置１６により給気ダクト１１、水槽２及びドラム３内に送り込まれて内部の洗濯物を乾燥する。斯かるヒートポンプ機構は、これを構成する冷凍サイクルの構成要素重量が相当大きいことから、本体１内下部に配置され台板１ａ上に取付固定され、従って熱交換ダクト１３及びファン装置１６も同様に下部の台板１ａに固定された構成にある。
【００１２】
そして、乾燥に寄与した後の多くの湿気を含む空気は、前面側の排気ダクト１２から熱交換ダクト１３に流入し、ここで蒸発器１９で冷却除湿され、再び凝縮器１８に至り加熱されて新たな温風として再利用され、従って温風は実質的に閉ループの循環路１０を介してファン装置１６により循環供給可能としている。
しかるに、熱交換ダクト１３の蒸発器１８を配した底部は、除湿水を集め排水するための凹形状として排水路２０を形成しており、この排水路２０は詳細は後述する貯水部２５に連通接続され、ここに貯留された水は排水ポンプ２６により機外へ排出可能としている。
【００１３】
また、前記ファン装置１６は、図２の拡大縦断面図も参照して説明すると、ターボ型の送風ファン２１、ファンモータ２２（図１のみ示す）、ファンケーシング２３を具備した構成からなり、前記熱交換ダクト１３の左端部に配設され、送風ファン２１を内設するファンケーシング２３が循環路１０の一部を構成している。
このファンケーシング２３は、渦巻状の円筒形状をなし、水平な横方向に開口した吸込み口２３ａ及び略直交する上方向に開口した吹出し口２３ｂとした縦型配置に設けられ、従って吸込み口２３ａは略水平配置の熱交換ダクト１３と接続され、吹出し口２３ｂは継手１４を介して上下方向に垂下した給気ダクト１１に接続される。
【００１４】
しかして、送風ファン２１は図２中矢印Ｒ方向に回転駆動することで、吸込み口２３ａから空気を吸入し、渦巻状のファンケーシング２３の内周面に沿って矢印Ａ方向に送風される。斯かるファンケーシング２３の円形状底面の最下部には、ドレン口２４が形成されている。このドレン口２４には、本実施例では図１に示すようにドレンパイプ２４ａが連通接続され、他端は前記貯水部２５に接続されている。
【００１５】
ここで貯水部２５の構成につき改めて述べると、これは図１に示すように前記した蒸発器１９下部の排水路２０、及びファンケーシング２３側のドレンパイプ２４ａが夫々連通接続され共用の貯水部２５として利用される。この貯水部は、略閉空間の扁平な容器状をなし、台板１ａ上に設置されて貯水可能な構成としている。そして、詳細な作用説明は後述するが、この貯水部２５の排水経路中に前記排水ポンプ２６が連通して介在され、図示しない水位センサにて所定以上の水位を検知すると駆動する制御のもとに、貯留された水を機外に排出可能としている。
【００１６】
次に、上記構成のドラム式洗濯乾燥機の作用について説明する。
例えば、標準的な運転コースを選択設定して運転スタートした場合、図示しない制御装置はドラムの回転速度等を制御し、洗い、すすぎ、脱水、乾燥の各行程を自動的に実行する。そのうち、特に乾燥行程を除く洗いから脱水行程が実行される間では、回転するドラム３から水飛沫が飛散し易く、該飛沫は水槽２の背面側に開口連通した給気ダクト１１内に浸入することになる。従って、例えば脱水時に浸入した水は給気ダクト１１内を流下して下方に配置されたファン装置１６に達し、吹出し口２３ｂからファンケーシング２３内に流入する。
【００１７】
しかるに、水は該ファンケーシング２３の最下部に向かって流れるが、この最下部にはドレン口２４が形成されているので、水は貯留されることなく該ドレン口２４から流出し、ドレンパイプ２４ａを経て貯水部２５内に達する。このとき、所定の水位に達するまでは排水ポンプ２６は停止状態にあるため、水は排出されることなく該貯水部２５内に貯留される。所定時間の脱水行程が終了すると、次いで乾燥行程に移行する。この乾燥行程では、洗濯物を乾燥するための温風化の加熱源として前記ヒートポンプ機構を利用するとともに、前記ファン装置１６を有する循環路１０を介して水槽２及びドラム３に対し温風を循環供給し、効率よく省エネルギー化を図った乾燥運転を実行する。
【００１８】
以下、斯かる乾燥行程につき詳述すると、洗濯物を収容したドラム３は低速回転せられ温風は送風ファン２１の回転により循環路１０中を矢印Ａ方向に流れ、そのうちの給気ダクト１１を経て水槽２の背面側から供給される。斯かる温風は、ヒートポンプ機構を構成する凝縮器１８において、圧縮機１７で圧縮高温化された冷媒と熱交換されて空気が加熱されることにより生成され、ファンケーシング２３及び給気ダクト１１に案内されて水槽２及びドラム３の透孔３ａ群を経てドラム３内部に供給される。ここで、洗濯物の水分を奪い乾燥に寄与した排気風は多くの湿気を含んだ空気となり、前方の排気ダクト１２を経て下方の熱交換ダクト１３に移送される。
【００１９】
そして、当該空気は蒸発器１９で図示しないキャピラリチューブを介して膨張した冷媒と熱交換され、ここでは冷却され空気中の湿気が凝縮して結露し除湿される。この除湿水は、滴下して凹状の底部の排水路２０から下方の貯水部２５内に流下する。やはり、所定水位に達しない状態では、この乾燥運転でも排水ポンプ２６は停止状態にあって、水は貯水部２５内に貯留される。このように、貯水部２５には洗いから脱水行程までにおける主に水飛沫がファンケーシング２３を介して流下し貯留され、また乾燥行程では蒸発器１９による冷却除湿作用にて生じた除湿水が貯留される。
【００２０】
しかして、除湿された後の乾燥した空気は熱交換ダクト１３を流れ、凝縮器１８に至り前記したように再び熱交換により加熱され、温風としてドラム３内の洗濯物の乾燥用に供給され、この繰り返し実行により洗濯物の乾燥作用が行なわれ、且つ除湿水が貯留される。しかるに、図示しない水位センサが該貯水部２５の貯留水位が所定以上となったことを検知すると、排水ポンプ２６は通電駆動され機外の所定の排水場所に随時排水される。
【００２１】
以上のように本実施例によれば、次のような効果を奏する。
乾燥運転時に温風を循環供給するためのファン装置１６、循環路１０を構成する熱交換ダクト１３及び温風化の加熱源としてのヒートポンプ機構を本体１底部たる台板１ａ上に設置した。しかも、前記ファン装置１６にあっては、横方向に開口した吸込み口２３ａから吸気し、これと直交する如く上方の外周方向に吹出し口２３ｂを有する縦型配置の渦巻状のファンケーシング２３及び送風ファン２１を内蔵する構成とした。そして、ファンケーシング２３の最下部にドレン口２４を設け、貯水可能な貯水部２５に連通接続する構成とした。
【００２２】
一方、熱交換ダクト１３に介在した蒸発器１９にて発生した除湿水は底部に集められ、排水路２０を介して同じく貯水部２５に連通接続する構成とした。
従って、洗いや脱水運転等において循環路１０を構成する給気ダクト１１に浸入した水飛沫は、ファンケーシング２３に貯留されることなくドレン口２４から貯水部２５に流出する。また、蒸発器１９にて生じた除湿水も熱交換ダクト１３の底部に貯留されることなく貯水部２５内に流下する。しかる後、貯水部２５内の貯留水は、所定水位を検知する水位センサにて排水ポンプ２６を駆動制御することで、随時機外に排水でき不要な水が本体１内にいつまでも残存することはない。
【００２３】
従って、特にファンケーシング２３内に流下した水が貯留されることに伴う風量の減少などのファン性能が損なわれることがない。また、ファンケーシング２３は渦巻状で円筒形状をなし、横方向に開口する吸込み口２３ａを有する縦型配置としたので、円形状底面の最下部の位置設定は容易にできるばかりか、流入した水はファンケーシング２３の内面を伝って自然に最下部に向かって流れる。このことは、ドレン口２４の位置設定を容易にするばかりか、本来のファン性能を得るべく形状のファンケーシング２３を、水を案内したりするために改造により複雑化したりファン性能を損ねたりすることがない点で、性能的にも組立構成的にも本来の機能を維持でき、延いては所望の循環風量に基づき良好な乾燥性能が期待できる。
【００２４】
また、本実施例における貯水部２５は、蒸発器１９による除湿水と給気ダクト１１を介して浸入した水飛沫などによる水を一時的に貯留可能に、一つで共用できるようにしたので簡易な構成とすることができ、従って排水ポンプ２６の一つの排水手段にて対応できる点でも有利である。但し、貯水部２５及び排水ポンプ２６による貯水及び排水手段に限らず、例えば排水ポンプ２６に代えて排水弁としてもよいなど、種々変形して実施可能である。
【００２５】
上記実施例に対し、図３ないし図６はいずれも図２相当図を示す第１ないし第４の変形例を開示したもので、いずれもドレン口の異なる形態を特徴としたもので、上記実施例と実質的に同一部分には同一符号を付して説明を省略し、異なる部分につき説明する。
【００２６】
（第１の変形例）
まず図３に示す第１の変形例は、ドレン口２７が送風ファン２１の反回転方向Ｒに指向して傾斜した開口形状としたものである。具体的には、図示するようにドレン口２７をファンケーシング２８の一部で上下方向にラップする構成とし、反回転方向Ｒに下降傾斜する通路形状としている。しかして、脱水運転等において給気ダクト１１を経て浸入した水飛沫は、ファンケーシング２８内に至り格別な流水抵抗を受けることなく最下部に達し、傾斜状をなすドレン口２７から逐次排出される。
【００２７】
一方、乾燥運転時には上記実施例と同様ファン装置１６が駆動され加熱源たるヒートポンプ機構を経て加熱された循環空気を温風化し、給気ダクト１１を介して水槽２内、従ってドラム３内に供給され図示しない洗濯物を乾燥する。しかるに、ファンケーシング２８にあっては図３に示す如く横方向に開口した吸込み口２８ａから循環空気が吸入され、送風ファン２１により遠心作用を受けながらファンケーシング２８内周面に案内され、該ファン２１の回転方向Ｒに沿って矢印Ａ方向に流れ、上方に開口した吹出し口２８ｂから吹出される。
【００２８】
斯かる場合、ドレン口２７は回転方向Ｒとは逆方向に指向して開口しており、従って送風方向である矢印Ａ方向とも逆方向となり、ファンケーシング２８の内圧が高まることによる該ドレン口２７からの空気の漏洩を少なく抑えることができ、すなわち温風の漏洩を軽減できて乾燥性能が低下するのを抑制できる。
尚、ドレン口２７を傾斜状とするためのラップ形状の相当部分は、別部品としてファンケーシング２８に取付固定する構成としてもよい。
【００２９】
（第２の変形例）
図４（ａ）は、送風ファン２１の回転停止時におけるドレン口２４の開放した形態を示し、同図（ｂ）は送風ファン２１の回転時におけるドレン口２４の閉鎖された形態を夫々示したものである。
このものは、上記実施例と同様のドレン口２４に対し、これを開閉する弁体２９を備えたものである。この弁体２９は、弾性変形可能なゴム等の部材にて形成され、ドレン口２４の内周縁に一端の基部２９ｂが取付固定され、他端たる自由端側の弁部２９ａは薄肉にして柔軟性を増しドレン口２４を覆う大きさとしている。この場合、弁体２９の基部２９ｂはドレン口２４の風上側に固定され、風下側に自由端側の弁部２９ａが位置して、該弁部２９ａがドレン口２４の上方に対向する位置付けにて組込まれている。
【００３０】
しかして、自然状態における弁体２９は図４（ａ）に示すようにドレン口２４を開放した状態にあり、これに対し図４（ｂ）に示すように送風ファン２１が回転状態にあるときは、ファンケーシング２３内の矢印Ａ方向の風圧を受けて弁体２９の弁部２９ａが弾性変形し、ドレン口２４を内面側から覆い閉鎖状態に保持する。
【００３１】
従って、図４（ａ）に示す送風ファン２１が停止状態にある洗濯運転等（乾燥運転以外）においては、実質的にファンケーシング２３内の圧力の変動がないため、弁体２９はドレン口２４を開放した状態に維持され、水の浸入があった場合には最下部のドレン口２４から随時排出される。一方、乾燥運転では図４（ｂ）に示すように送風ファン２１が回転駆動され、弁体２９の弁部２９ａは風圧を受けて弾性変形しドレン口２４を閉鎖する。従って、乾燥運転時において温風を外部に漏出することなく循環供給でき効率よく乾燥作用を実行できる。
このように、送風ファン２１の回転に応じて弁体２９がドレン口２４を開閉する所謂風圧式の弁機構としたもので、簡易な構成でありながら自動的で且つ必要時にドレン口２４を開放または閉鎖できる特徴を有する。
【００３２】
（第３の変形例）
図５は、第３の変形例を示したもので、このものは特に上記第２の変形例（風圧式の弁機構）に類似し、所謂電磁式の弁機構を備えたものである。すなわち、図５（ａ）はドレン口２４からの排水を可能とした弁機構の動作状態を示し、同図（ｂ）は閉鎖した動作状態を示している。しかして、ファンケーシング２３のドレン口２４に対応する外底面側に電磁弁装置３０が装着されている。この電磁弁装置３０は、電磁コイル３１、プランジャー３２、弁ケース３３を具備してなり、且つプランジャー３２の先端に弁部３４が弁ケース３３内に位置して設けられている。
【００３３】
また、プランジャー３２には図中矢印Ｂ方向に付勢する圧縮コイルばねからなるばね部材３５が装着されており、非通電時における自由状態ではプランジャー３２がばね部材３５の付勢力により突出して、図５（ｂ）に示すように弁部３４が弁ケース３３の排水経路３３ａを閉鎖してドレン口２４からの排水を止める。これに対し、図５（ａ）では電磁コイル３１が通電されてプランジャー３２がばね部材３５の付勢力に抗して反矢印Ｂ方向に吸引移動され、弁ケース３３内の排水経路３３ａを開放してドレン口２４からの排水を可能とした状態を示している（図中矢印Ｃ方向）。
【００３４】
斯くして、上記構成によればドレン口２４からの排水の可否は、電磁弁装置３０に対し図示しない制御装置による通断電制御にて容易に且つ確実にコントロールできる。また、乾燥運転時には図５（ｂ）に示すように断電した自由状態において、弁ケース３３の排水経路３３ａをプランジャー３２先端の弁部３４により閉鎖状態に保持できるので、乾燥運転時にドレン口２４からの循環空気の漏洩を阻止でき、良好な乾燥性能を維持できる。しかも、電磁弁装置３０をファンケーシング２３に対し所謂外付けする形態で実現でき、該ファンケーシング２３の形状等の変更を要しないため、ファン性能に何ら影響を与えることはない。
尚、上記電磁弁装置３０はこの実施例のみに限らず、例えばプランジャー３２が上下方向に移動する配置構成にして、その先端の弁部３４が直接ドレン口２４を開閉する構成とすることも可能であるなど、種々変形して実施可能である。
【００３５】
（第４の変形例）
図６は、第４の変形例を示したもので、このものはドレン口３６に通水性を有する一方、通気性に対しては極力抵抗となる部材、所謂通気性抵抗部材３７を装着して空気漏れの低減を図ったものである。
まず、ドレン口３６は例えばファンケーシング２３と一体に下方に筒状に突出した形状としている。そして、この筒状のドレン口３６内に、通気性抵抗部材３７として例えば不織布によるフィルタ構成としたものを適宜の大きさに形成して挿入し、固定したものである。
【００３６】
斯かる構成によれば、ファンケーシング２３内に流下してくる水は貯留されることなく随時排出される。そして、乾燥運転時における送風ファン２１の回転時には（矢印Ｒ方向）、矢印Ａで示す送風方向に関係なく該通気性抵抗部材３７が空気流の大きな抵抗となって空気（温風）の漏洩を極力抑制することができ、乾燥性能の低下を来たすことなく実現できる。
【００３７】
但し、上記通気性抵抗部材３７は、上記した不織布に限らず連続気泡体からなるプラスチックやメッシュ部材など、要は水は通すが通気性に対して大きな抵抗となる素材であればよい。
また、ドレン口３６を筒状したのは上記不織布による通気性抵抗部材３７を挿入し、例えば接着剤にて固定し易くするための一つの形状であって、その取付手段或は素材などに応じて種々の形状に変更して実施できるものであるとともに、ファンケーシング２３とは別体の筒状部材を取付固定するようにしてもよいことは言うまでもない。
【００３８】
尚、本発明は上記し且つ図面に示した各実施例に限定されることなく、例えばドラム式の洗濯乾燥機に限らず縦軸回りに回転可能な回転槽を備えた洗濯乾燥機にも適用できるし、その他、温風の供給口である給気ダクトと水槽との接続部位も背面側に限らないなど、実施に際して本発明の要旨を逸脱しない範囲で種々変更して実施できるものである。
【図面の簡単な説明】
【００３９】
【図１】本発明の一実施例を示すドラム式の洗濯乾燥機の縦断側面図
【図２】ファン装置の拡大縦断面図
【図３】第１の変形例を示す図２相当図
【図４】第２の変形例の異なる動作状態（ａ），（ｂ）を示す図２相当図
【図５】第３の変形例の異なる動作状態（ａ），（ｂ）を示す図２相当図
【図６】第４の変形例を示す図２相当図
【符号の説明】
【００４０】
図面中、１は本体、２は水槽、３はドラム（回転槽）、１０は循環路、１３は熱交換ダクト、１６はファン装置、１７は圧縮機、１８は凝縮器、１９は蒸発器、２１は送風ファン、２３はファンケーシング、２３ａは吸込み口、２３ｂは吹出し口、２４，２７，３６はドレン口、２５は貯水部、２９は弁体、３０は電磁弁装置、及び３７は通気性抵抗部材を示す。
【図１】
0004728834.tif 000002
【図２】
0004728834.tif 000003
【図３】
0004728834.tif 000004
【図４】
0004728834.tif 000005
【図５】
0004728834.tif 000006
【図６】
0004728834.tif 000007